(57)【特許請求の範囲】
【請求項１】
取付軸は、筒状の軸部と頭部を有し、前記軸部の略中央部の互いに対称する位置に軸方向へ切込によって軸端側を自由状態とする細長の一対の弾性片部を一体に形成し、この弾性片部の自由端に係止爪を設け、前記軸部の軸端に前記一対の弾性片部と直交する位置に互いに対称する一対の突子を設けた合成樹脂材から一体成形により形成し、外板と、仕切板と裏板とは、互いに重合貫通する位置に前記取付軸を挿着する透孔を穿設し且つこれらの透孔の円周に互いに対称する一対の切欠を穿設し、機構板は、前記取付軸の軸部を挿通する透孔を貫通穿設し且つこの透孔の円周の対称する位置に一対の切欠を設け、前記取付軸の頭部と弾性片部の係止爪とで外板と仕切板と裏板を挟着自在せしめて軸端を裏板の外方へ突出し、そして前記裏板から突出する取付軸の軸端を機構板の透孔に貫通挿着して一対の突子を機構板の透孔の円周縁に係着自在せしめてなることを特徴とするパチンコ機のカ−ブレ−ルの組み立て並びに取付構造。
【発明の詳細な説明】
【０００１】
【産業上の利用分野】
本発明は、同じ取付軸によりカ−ブレ−ルの組立とこのカ−ブレ−ルを機構板への取付を可能にしたパチンコ機のカ−ブレ−ルの組立並びに取付構造に関するものである。
【０００２】
【従来の技術】
従来、パチンコ機のカ−ブレ−ルは、外板と裏板の間に仕切壁を重ね合わせて複数条の球流路を設けて組み立てられ、そしてこのカ−ブレ−ルには球抜き装置及び球切れ検知装置が組み込まれてなるものが提供されている。
【０００３】
【発明が解決しようとする課題】
従来の技術で述べたカ−ブレ−ルは、外板と仕切板と裏板とを重ね合わせてビス止めにより組立保持し、そして組立られたカ−ブレ−ルは他のビスにより機構板にビス止めにより取付けている。このように、カ−ブレ−ル自体の組立に使用するビスと、カ−ブレ−ルを機構板に取りつけるためのビスとの２種類のビスを必要とし、また外板、仕切板、裏板にはカ−ブレ−ルを組立るためのビス止め機構と機構板に取付けるためのビス止め機構を設ける必要があり、このことは、カ−ブレ−ルの構造を複雑にし、しかも、カ−ブレ−ルの組立工程と機構板への取付工程との２工程が独立して存在し、カ−ブレ−ルの組立から機構板への取付までの作業の能率性を悪くする原因となる等の問題点があった。
【０００４】
また、確実なビス止めを得るために、前記カ−ブレ−ルの組立と機構板への取付に使用するビスは、金属製の軸の使用を余儀なくされているが、金属製の軸は高価で不経済である等の問題点があった。
【０００５】
本発明は、上記の点に鑑みてなされたもので、その目的とするところは、同じ取付軸によりカ−ブレ−ルの組立とこのカ−ブレ−ルを機構板への取付を同軸に設置することを可能にし、取付軸は、合成樹脂材から一体成形により容易に形成し、部品点数を削減すると共に組立ても簡便にして作業性を向上したカ−ブレ−ルの組立並びに取付構造を提供するものである。
【０００６】
【発明が解決するための手段】
上記の目的を達成するために、本発明におけるパチンコ機のカ−ブレ−ルの組立並びに取付構造において、取付軸は、筒状の軸部と頭部を有し、前記軸部の略中央部の互いに対称する位置に軸方向へ切込によって軸端側を自由状態とする一対の弾性片部を一体に形成し、この弾性片部の自由端に係止爪を設け、前記軸部の軸端に前記一対の弾性片部と直交する位置に互いに対称する一対の突子を設けた合成樹脂材から一体成形により形成し、外板と、仕切板と裏板は、互いに重合貫通する位置に前記取付軸を挿着する透孔を穿設し且つこれらの透孔の円周に互いに対称する一対の切欠部を穿設し、機構板には、前記取付軸の軸部を挿通する透孔を貫通穿設し且つこの透孔の円周の対称する位置に一対の切欠を設け、前記取付軸の頭部と弾性片部の係止爪とで外板と仕切板と裏板を挟着して軸端を裏板の外方へ突出させてカ−ブレ−ルを組み立て、この組み立てられたカ−ブレ−ルを、前記裏板から突出する取付軸の軸端を機構板の透孔に貫通挿着して９０度回転することにより軸端に設けられた一対の突子を機構板の透孔の円周縁に係着自在せしめてなるものである。
【０００７】
【作用】
カ−ブレ−ルを組立てる作業において、外板、仕切板、裏板を重ね合わせ、取付軸の軸部を、その軸端に設けた突子を外板の透孔の切欠に合致させて挿入し、そしてこの外板の透孔から仕切板の透孔と裏板の透孔へ貫通させると、軸部の中央部に設けられた弾性片部の自由端に設けた係止爪がこの弾性片部の弾性機能により外板と仕切板と裏板のそれぞれの透孔を引っかかることなく通り抜け、そのときに弾性片部がその弾性機能で元の状態に反発復帰して裏板の透孔の円周縁の外側縁に係着し、そして取付軸の頭部と前記弾性片部の係止爪とにより外板と仕切板と裏板を挟着してカ−ブレ−ルが組み立て保持される。このカ−ブレ−ルを組み立て保持した状態において、取付軸の軸部の軸端は裏板を貫通して軸端の突子を裏板の外面からやや離れて突出位置する。
【０００８】
組立終了したカ−ブレ−ルを機構板に取り付ける作業において、カ−ブレ−ルを機構板の位置決め軸に装着したとき、カ−ブレ−ルの裏板の前記透孔と機構板の透孔が合致する。そこで、カ−ブレ−ルの裏板から突出する取付軸の軸部を、機構板に設けられる透孔に挿通すると、先端の突子が透孔の切欠を通ってこの突子が機構板の裏側へ突出する。そして、取付軸を９０度回転させて機構板の透孔の円周縁の裏側面に係合することにより、カ−ブレ−ルが機構板に固定設置される。取付軸の回転は、外板の表面に設けたストッパで自動的に制御される。
【０００９】
【実施例】
以下本発明の一実施例を図面に基づいて説明すると、図１は、パチンコ機の裏面図で、１は遊戯盤、２は遊戯盤の後面に取外し可能に配置された機構板、３はその上方に取付けられた賞球タンク、４は賞球タンク３内の賞球をカ−ブレ−ル５を介して賞球放出装置６に導く誘導樋を示す。
【００１０】
図２は本発明に係るカ−ブレ−ルの分解斜視図、図３は取付軸を挿入する前の外板の側から示すカ−ブレ−ルの組立斜視図で、カ−ブレ−ル５は、球流路７を有する外板８と、球流路９を有する裏板１０との間に、仕切板１１を重ね合わせて成形され、各球流路７，９にはパチンコ球の有無を検出する機能を備えた可動片１２及びこの可動片１２により接続する光電スイッチ１３からなる球切れ検知装置と球抜き装置１４が組み込まれ、取付軸１５により、図４、図５に示すカ−ブレ−ル５が組み立て保持される。
【００１１】
前記取付軸１５は、図２、図３に示すように、筒状の軸部１６に頭部１７を有し、前記軸部１６の中央部の互いに対称する位置に、切込１８により頭部１７の側を軸部１６と一体とし且つ軸端側を自由端の状態として軸方向へ細長になり且つ弾性機能を有する一対の弾性片部１９，１９を形成し、これら一対の弾性片部１９，１９の自由端にそれぞれ係止爪２０を設け、この係止爪２０は軸端側へ傾斜し、頭部１７の側を垂直に形成する。前記軸部１６の軸端には、前記一対の弾性片部１９，１９と直交する位置に互いに対称する一対の突子２１，２１を突設設置する。
【００１２】
前記外板８は、図２に示すように、球流路７の奥部の湾曲部に有する短筒２２に前記取付軸１５の軸部１６を挿通させる透孔２３を設け、この透孔２３の外周の互いに対称する位置に前記軸部１６の軸端に有する一対の突子２１，２１を挿通させる一対の切欠２４，２４を穿設する。この短筒２２に備える透孔２３は、外板８の上部、中央部及び下部の３か所に設けられる。
【００１３】
前記裏板１０は、前記外板８と同様に、球流路９の奥部の湾曲部に有する短筒２５に前記取付軸１５を挿通させる透孔２６を穿け、この透孔２６の外周の互いに対称する位置に前記取付軸１５の軸端に有する一対の突子２１，２１を挿通させる一対の切欠２７，２７を穿設する。この透孔２６は、前記短筒２５を透孔２６より大径に形成して短筒２５の内側開口面を囲む内側フランジ２８によって形成し、取付軸１５の軸部１６を透孔２６に挿通させたときに、弾性片部１９の係止爪２０が透孔２６の円周縁の裏側、即ちフランジ２８の裏側に係着するようにし、そしてこの弾性片部１９，１９の係止爪２０，２０が短筒２５の中に納められて裏板１０の外面へ露出しないようにするのが好ましい。この短筒２５のフランジ２８によって囲まれる透孔２６は裏板１０の上部、中央部及び下部の３か所に設けられる。
【００１４】
前記仕切板１１は前記取付軸１５の軸部１６を挿通させる透孔２９を設け、この透孔２９の円周の互いに対称する位置に一対の切欠３０，３０を穿設して形成する。この透孔２９は仕切板１１の上部及び中央部に設けられる。
【００１５】
前記外板８、仕切板１１及び裏板１０を重ね合わせた際に、それぞれ上部、中央部及び下部に設けられたそれぞれの透孔２３，２９，２６とが重合貫通し、前記取付軸１５の軸部１６を外板８の側から挿通させ、弾性片部１９の係止爪２０を裏板１０の透孔２６の円周縁の内縁に係合させ、そして取付軸１５の頭部１７と弾性片部１９の係止爪２０の間に前記外板８、仕切板１１及び裏板１０を挟着してカ−ブレ−ル５を組み立て保持する。この状態で、取付軸１５の軸端の一対の突子２１，２１は裏板１０の外方ヘ突出位置している。
【００１６】
前記機構板２は、前記カ−ブレ−ル５の裏板１０のそれぞれの透孔２６に重合貫通する透孔３１が穿設され、この透孔３１の円周の互いに対称する一対の切欠３２を有して設けられる。また、前記機構板２には、カ−ブレ−ル５の位置決め軸３３が上下位置に突設設置され、前記外板８、仕切板１１及び裏板１０のそれぞれ上部及び下部に前記位置決め軸３３を挿通する筒軸３４，３５，３６が設けられている。
【００１７】
前記取付軸１５により組み立て保持されたカ−ブレ−ル５は、前記位置決め軸３３に筒軸３４〜３６を装着し、カ−ブレ−ル５の裏板１０から突出する取付軸１５の軸部１６の先端の一対の突子２１，２１を前記機構板２の透孔３１の切欠３２に合わせて挿通して取付軸１５の軸端の突子２１，２１を機構板２の裏面に突出させ、そして取付軸１５を９０度回転して、軸部１６の軸端に設けた突子２１，２１を機構板２の透孔３１の円周縁裏面に係止させてカ−ブレ−ル５を機構板２に取付設置する。
【００１８】
前記外板８の各透孔２３の外周辺にストッパ３７を設け、取付軸１５の回動範囲を９０度に規制するようにするのが好ましい。また、前記取付軸１５の頭部１７は菱形とし、取付軸１５の９０度回転操作に便利とするのが好ましい。
【００１９】
【発明の効果】
以上説明したように本発明によれば、カ−ブレ−ルの組み立てと機構板への取付を、同じ取付軸により同軸に組み立て並びに取付を可能にし、従来のようにカ−ブレ−ルの組み立てるためのビスと機構板へ取付るためのビスとの２種のビスの使用を排除し、しかも金属のビスの使用を排除し、部品点数を削減するとともに合成樹脂材による一体成形により容易かつ安価に形成することを可能にした。更に、カ−ブレ−ルに対する組み立ても従来に比し簡便にし作業能率を向上させることができ、軸性能及び軸機能も優れた軸支構造を有する等の効果を奏する。
【図面の簡単な説明】
【図１】パチンコ機の裏面図である。
【図２】本発明のカ−ブレ−ルの分解斜視図である。
【図３】本発明の取付軸を挿着する前の状態を示すカ−ブレ−ルの組み立て斜視図である。
【図４】本発明のカ−ブレ−ルの外板の側から示す組み立て斜視図である。
【図５】本発明のカ−ブレ−ルの裏板の側から示す組み立て斜視図である。
【図６】本発明のカ−ブレ−ルを機構板に設置する前の状態を示す要部の分解斜視図である。
【図７】本発明のカ−ブレ−ルをパチンコ機に設置して示す裏面斜視図である。
【図８】本発明のカ−ブレ−ルをパチンコ機に設置して示す要部拡大正面図である。
【図９】本発明のカ−ブレ−ルを取付軸で組み立てた軸着状態を示す要部拡大断面図である。
【図１０】本発明のカ−ブレ−ルを取付軸で機構板に設置した軸着状態を示す要部拡大断面図である。
【符号の説明】
２        機構板
５        カ−ブレ−ル
８        外板
１０      裏板
１１      仕切板
１５      取付軸
１６      軸部
１７      頭部
１８      切込
１９      弾性片部
２０      係止爪
２１      突子
２３      透孔
２４      切欠
２６      透孔
２７      切欠
２９      透孔
３０      切欠
３１      透孔
３２      切欠
【図１】
0003563122.tif 000002
【図２】
0003563122.tif 000003
【図３】
0003563122.tif 000004
【図４】
0003563122.tif 000005
【図５】
0003563122.tif 000006
【図６】
0003563122.tif 000007
【図７】
0003563122.tif 000008
【図８】
0003563122.tif 000009
【図９】
0003563122.tif 000010
【図１０】
0003563122.tif 000011